(57)【要約】【課題】電力に依存せずに地震による揺れで係止を自動解除でき、必要時にはドア本体を全閉位置に戻す必要なく素早く係止を解除できるドアチェーン装置を提供する。【解決手段】チェーン受具本体内の収納空間（１ｂ）に固定された山形頂面を有する玉載せ台（２）と、山形頂面の一方の側端部（２ｂ）に載置されて外部から伝わる揺れで山形頂面の頂部（２ａ）を乗り越えて他方の側端部（２ｃ）から転動落下する感震球体（３）と、感震球体（３）の落下を受けて下方へ変位することでドアチェーン先端の係止具（２６）をチェーン受具の係合溝（３４ａ）から落下離脱させるドアチェーン係止解除機構（６，  ２４）とを備えている。【選択図】図１
2014088691.tif 000002
【特許請求の範囲】
【請求項１】
先端部に係止具が連結されたドアチェーンと、前記係止具を係合可能な係合溝を有するチェーン受具とによって構成され、前記ドアチェーンの基端部とチェーン受具のうちいずれか一方をドア本体に固定し、他方をドア開口周囲の固定側部材に固定し、前記係止具を前記係合溝に係合した場合に、ドア本体とドア開口周囲の固定側部材との間に前記ドアチェーンが掛け渡されて、ドア本体の開口量をドアチェーンの長さに応じた隙間に制限するドアチェーン装置において、
前記チェーン受具が、内部に収納空間（１ｂ）を有する受具本体（１ａ）を備えるとともに、前記係止具（２６）を前記収納空間（１ｂ）内に挿入させることができる脱着用円孔（３４ｂ）を有し、
前記チェーン受具の係合溝（３４ａ）が、前記脱着用円孔（３４ｂ）から下方へ向かって縦向きに形成され、
受具本体（１ａ）の収納空間（１ｂ）内には、受具本体（１ａ）に固定配置された山形頂面を有する玉載せ台（２）と、前記玉載せ台（２）の一方の側端部（２ｂ）上に載置され、外部から受具本体（１ａ）に伝わる揺れにより、前記一方の側端部（２ｂ）から前記山形頂面の頂部（２ａ）を乗り越えて他方の側端部（２ｃ）から下方へと転動落下する感震球体（３）と、該感震球体（３）の落下を受けたときに生じる荷重の増加により下方へ変位して、前記係止具（２６）を前記係合溝（３４ａ）から下方へ落下させてチェーン受具から離脱させるドアチェーン係止解除機構（６，２４）とが設けられていることを特徴とするドアチェーン装置。
【請求項２】
チェーン受具が、受具本体（１ａ）を覆って前記収納空間（１ｂ）の前面を閉鎖する表蓋（３０）を備え、この表蓋（３０）にドアチェーン先端部の係止具（２６）を係合するための前記係合溝（３４ａ）が縦向きに配置されていることを特徴とする請求項１に記載のドアチェーン装置。
【請求項３】
感震球体（３）に、チェーン受具（１）の外部へ導出された復帰用糸（４）が連結されていることを特徴とする請求項１又は２に記載のドアチェーン装置。
【請求項４】
受具本体が、ドア本体又はドア開口固定側部材への固定用ビスを通すために上下一対のビス穴（５ａ，５ｂ）を備え、これら上下一対のいずれか一方のビス穴が、受具本体の取付姿勢を傾動調整するために他方のビス穴を中心とする円弧上で止めビスの固定位置を該円弧の長さ方向に調整可能な長穴状に形成されていることを特徴とする請求項１〜３のいずれか１項に記載のドアチェーン装置。
【請求項５】
ドアチェーン係止解除機構が、感震球体（３）の落下を受けたときに生じる荷重の増加で下方へ変位する玉受け台（６）を前記収納空間（１ｂ）内に備えると共に、該玉受け台の下方変位によって前記係合溝（３４ａ）の下端部を下方へ向けて開放することにより前記係止具（２６）を自重で前記係合溝（３４ａ）から落下させてチェーン受具から離脱させる底蓋（２４）を、チェーン受具の底部に開閉可能に備えていることを特徴とする請求項１〜４のいずれか１項に記載のドアチェーン装置。
【請求項６】
ドアチェーン係止解除機構が、玉受け台（６）が感震球体（３）の落下を受けていない感震作動待機状態では該玉受け台（６）を上昇位置に保持するラッチ桿体（１１）と、該ラッチ桿体（１１）と協働して玉受け台（６）が上昇位置に保持されている状態では前記係合溝（３４ａ）上端部の脱着用円孔（３４ｂ）から受具本体内へ受け入れたドアチェーン先端部の係止具（２６）を受具本体の収納空間内に保持する係止具支持部材（１７ａ，１７ｂ，１７ｃ）とを前記収納空間内に備え、これらラッチ桿体と係止具支持部材は前記収納空間内に頂部（１５）で枢支された振り子桿体（１４）に一体化され、更に前記収納空間内には、前記玉受け台（６）が前記上昇位置にあるときに前記ラッチ桿体をラッチ位置に係止するラッチストッパ機構（１０，１３）と、ラッチ桿体がラッチ位置から係止を解除されたときに前記係止具支持部材による係止具の保持を解除する向きに前記振り子桿体（１４）を枢動させる戻しバネ（１６）とが配置されていることを特徴とする請求項５に記載のドアチェーン装置。
【請求項７】
ラッチ桿体（１１）が、振り子桿体（１４）から側方へカンチレバー状に延在するバネ板で構成され、このバネ板の先端部近傍に上向きに突出するストップピン（１３）が設けられ、受具本体側に固定された固定ブロック（１０）の側面にストップピン（１３）が係合して前記ラッチストッパ機構が構成されていることを特徴とする請求項６に記載のドアチェーン装置。
【請求項８】
ラッチ桿体（１１）の先端部にカムフォロワ（１１ａ）が設けられ、玉受け台（６）の下部に薄肉先端部を下方へ向けた楔形のカムブロック（７ａ）が固定され、該カムブロックの傾斜カム面にカムフォロワが当接され、該傾斜カム面には玉受け台（６）が前記上昇位置にあるときにカムフォロワが嵌合する丸いラッチ凹部（７ｃ）が設けられていることを特徴とする請求項７に記載のドアチェーン装置。
【請求項９】
玉受け台の下部に支柱桿体（９）が一体に設けられ、前記カムブロック（７ａ）が重錘として前記支柱桿体に固定され、該カムブロックよりも下方位置で支柱桿体の下降限位置の規制と昇降移動案内のためのガイド溝付きブロック（８）が収納空間内で受具本体に固定配置されていることを特徴とする請求項８に記載のドアチェーン装置。
【請求項１０】
支柱桿体及びガイド溝付きブロックの寸法が、玉受け台が上昇位置にあるときは支柱桿体の下端部がガイド溝付きブロックのガイド溝内に没入するように、また玉受け台が感震動作で下降したときには支柱桿体の下端部がガイド溝下端から下方へ突出してチェーン受具底部を閉じている底蓋を開くように、それぞれ定められていることを特徴とする請求項９に記載のドアチェーン装置。
【請求項１１】
振り子桿体（１４）に、感震作動待機状態にセットする際に外部から振り子桿体をラッチ位置に移動させるためのセット用ツマミ（１８）が設けられ、該ツマミの頭部が受具本体に装着される表蓋に設けた穴（３３）から露出されることを特徴とする請求項６〜９のいずれか１項に記載のドアチェーン装置。
【請求項１２】
感震作動待機状態においてラッチストッパ機構によるラッチ桿体の係止を外部から解除する手動操作機構（１９，２０，２１）を更に備え、該手動操作機構が、受具本体（１ａ）の外部に配置された操作ボックス（１９）と、該操作ボックスに設けられた操作具（２０）と、一端部がラッチ桿体（１１）の先端部近傍に結合され、他端部が操作具（２０）に結合されて、操作具の操作によりラッチストッパ機構によるラッチ桿体（１１）の係止を解除する操作ワイヤー（２１）とを備えていることを特徴とする請求項６〜１１のいずれか１項に記載のドアチェーン装置。
【請求項１３】
ドアチェーン先端部に結合された係止具（２６）の少なくとも表面層が軟質緩衝材で構成されていることを特徴とする請求項１〜１２のいずれか１項に記載のドアチェーン装置。
【発明の詳細な説明】
【技術分野】
【０００１】
本発明はドアチェーン装置に関し、特に、地震による揺れで自動的に、また、来客等の必要時に素早くドアチェーンの係止を解除して、ドアの全開を可能とするドアチェーン装置に関する。
【背景技術】
【０００２】
ドアチェーン装置は、開き戸形式或いは引き戸形式のドアに、防犯用の補助錠として設置され、ドア本体に取り付けられた錠前が解除されても、別個に取り付けたドアチェーンによってドアの開き量を、人が通り抜けられない隙間程度に制限し、ドアの不本意な全開による不審者の侵入を阻止するために利用されている。一般的なドアチェーン装置では、ドア開口周囲の固定側部材（開口枠等）に基端部が固定されたドアチェーンの先端部に取り付けられた係止具を、ドア本体に固定されたチェーン受具の係合溝に、脱着用円孔（係合溝の一端部に設けられている）から挿入することによって係合させることができるようになっている。このようなドアチェーン装置においては、ドアチェーンの係止具が、チェーン受具の係合溝に係合されている場合において、ドア本体とドア開口周囲の固定側部材との間にドアチェーンが掛け渡され、ドア本体の開口量が、ドアチェーンの長さに応じた隙間に制限されるので、ドア本体の不本意な全開による不審者の侵入を阻止することができる。
【０００３】
ところで、近年、特に東日本大震災を招いた我が国観測史上最大規模の東北地方太平洋沖地震の発生以来、再び大地震に見舞われる恐れが各地で騒がれている。大規模の地震が発生した場合、その後の数年間は大小の余震の発生頻度も増加し、特に地震発生時の避難経路が玄関ドアに限定される構造の共同住宅等では、玄関ドアの錠前は素早く開錠できても、ドアチェーンの係止を解除するには、ドア本体が全閉位置にある状態でドアチェーン先端部の係止具をチェーン受具の係合溝に沿ってスライドさせ、係止具を係合溝端部の脱着用円孔に合わせてから外すという手間を要し、地震による揺れの中でこの操作を素早く行うことは健常者でも困難なことが多く、特に身体障害者や幼児及び高齢者では、ドアチェーンの係止を解除できずに避難経路が絶たれたままとなる事態になりかねない恐れが指摘されている。
【０００４】
このように、一般的なドアチェーン装置ではドアチェーンの係止を解除するのに手間と時間を要するという欠点があり、これはまた、来客時等のドアの全開が必要なときにドアチェーンで制限された隙間から確認した来客等の目の前でドア本体を全閉位置に戻してからドアチェーンの係止を解除するという手間と時間を要する操作を余儀なくしており、従って、来客等を待たせることなくドア本体が制限された隙間で開いた状態のままドアチェーンの係止を素早く解除したいという別の要望に対して障害となっている。
【０００５】
これらの不都合に対して、地震発生時にドアチェーンの係止を自動的に、或いはワンタッチで素早く解除できるようにしたドアチェーン装置は、例えば特開平１０−２８０７６４号公報や特開平１１−３０３４７６号公報に提案されている。しかしながら、これらの先行技術文献に開示されている装置では、いずれもドアチェーンの係止を解除するための感震装置や係止解除装置の作動に電気信号及び電力を必要とし、例えば商用電源からの給電に依存する装置構成では地震発生時に想定される停電による機能喪失が、また一次電池や二次電池による給電に依存する装置構成では電池の放電や劣化による機能喪失が課題として残り、更にはドア及びドア開口周囲に電装品の設置と配線が必要となるという構造及び工事上の不都合も存在する。
【先行技術文献】
【特許文献】
【０００６】
【特許文献１】特開平１０−２８０７６４号公報
【特許文献２】特開平１１−３０３４７６号公報
【発明の概要】
【発明が解決しようとする課題】
【０００７】
本発明は、以上に述べたような従来技術の諸欠点を解決しようとするものであり、地震が起きた時に、非常持ち出し避難用品等の荷物を持ったまま、手間のかかるドアチェーンの係止解除操作をせずとも、地震による揺れで自動的にドアチェーンの係止を解除でき、また、来客時等においては、ドアチェーンで制限されたドアの隙間から来客等を確認した後でドア本体を全閉位置に戻す必要なく、そのままワンタッチで素早くドアチェーンの係止を解除でき、更に、いずれの場合も電力及び電気信号に依存することなくドアチェーンの係止を解除することが可能なドアチェーン装置を提供することを目的としている。
【課題を解決するための手段】
【０００８】
この課題を解決するために、本発明によるドアチェーン装置は、先端部に係止具が連結されたドアチェーンと、前記係止具を係合可能な係合溝を有するチェーン受具とによって構成され、前記ドアチェーンの基端部とチェーン受具のうちいずれか一方をドア本体に固定し、他方をドア開口周囲の固定側部材に固定し、前記係止具を前記係合溝に係合した場合に、ドア本体とドア開口周囲の固定側部材との間に前記ドアチェーンが掛け渡されて、ドア本体の開口量をドアチェーンの長さに応じた隙間に制限するドアチェーン装置において、前記チェーン受具が、内部に収納空間を有する受具本体を備えるとともに、前記係止具を前記収納空間内に挿入させることができる脱着用円孔を有し、前記チェーン受具の係合溝が、前記脱着用円孔から下方へ向かって縦向きに形成され、受具本体の収納空間内には、受具本体に固定配置された山形頂面を有する玉載せ台と、前記玉載せ台の一方の側端部上に載置され、外部から受具本体に伝わる揺れにより、前記一方の側端部から前記山形頂面の頂部を乗り越えて他方の側端部から下方へと転動落下する感震球体と、該感震球体の落下を受けたときに生じる荷重の増加により下方へ変位して、前記係止具を前記係合溝から下方へ落下させてチェーン受具から離脱させるドアチェーン係止解除機構とが設けられていることを特徴としている。
【０００９】
本発明の好適な実施形態によれば、チェーン受具は受具本体を覆って前記収納空間の前面を閉鎖する表蓋を備え、この表蓋にドアチェーン先端部の係止具を係合するための前記係合溝が縦向きに配置されている。
【００１０】
感震球体は玉載せ台の前記他方の側端部から落下したときに与える衝撃荷重で前記ドアチェーン係止解除機構を下方へ変位させるに充分な質量（重量）を有する金属又はガラス製の球体であることが好ましく、また、一方では揺れによる感震球体の転動を妨げることなく、他方では表蓋を外してチェーン受具の収納空間内各部に直接手を触れる必要なしに、感震動作等で落下した感震球体を外部から前記一方の側端部へ復帰できるようにするために、感震球体にはチェーン受具の外部へ導出された例えばポリエチレン製の柔軟で強靱な復帰用糸が連結されていることが好ましい。
【００１１】
受具本体は上下に一対のビス穴を備え、これらのビス穴に貫通させた止めビスによってドア本体又はドア開口固定側部材に固定できるようにすることが好ましい。本発明によるドアチェーン装置では、地震による建物の揺れで感震球体が玉載せ台の山形頂面頂部を乗り越えて転動落下することにより非電動純機械的にドアチェーン係止解除機構を作動させるものであるので、建物の構造、立地、高層階か低層階かなど、種々の条件によって地震による揺れ方が異なることに対応すべく、水平面に対する玉載せ台の傾斜角、特に山形頂面の前記一方の側端部から頂部へ至る上り勾配斜面の傾斜角によって揺れの大きさに対する感震感度を調整することが可能である。この目的で、受具本体の上下のいずれか一方のビス穴は、玉載せ台と固定関係にある受具本体の取付姿勢を水平面（或いは鉛直線）に対して傾動調整できるように、他方のビス穴を中心とする円弧上で止めビスの固定位置を該円弧の長さ方向に調整可能な長穴状の形態に形成しておくことが最も単純な処置として好適である。
【００１２】
本発明の好適な実施形態によれば、ドアチェーン係止解除機構は感震球体の落下を受けたときに生じる荷重の増加で下方へ変位する玉受け台を前記収納空間内に備えると共に、該玉受け台の下方変位によって前記係合溝の下端部を下方へ向けて開放することにより前記係止具を自重で前記係合溝から落下させてチェーン受具から離脱させる底蓋をチェーン受具の底部に開閉可能に備えている。
【００１３】
ドアチェーン係止解除機構はまた、玉受け台が感震球体の落下を受けていない待機状態において該玉受け台を上昇位置に保持するラッチ桿体と、玉受け台が上昇位置に保持された状態において、前記係合溝上端部の脱着用円孔から受具本体内へ受け入れたドアチェーン先端部の係止具を、該ラッチ桿体と協働して、受具本体の収納空間内に保持する係止具支持部材とを前記収納空間内に備え、これらラッチ桿体と係止具支持部材は、前記収納空間内に頂部で枢支された振り子桿体に一体化され、更に、前記収納空間内には、前記玉受け台が前記上昇位置にあるときに前記ラッチ桿体をラッチ位置に係止するラッチストッパ機構と、ラッチ桿体がラッチ位置から係止を解除されたときに前記係止具支持部材による係止具の保持を解除する向きに前記振り子桿体を枢動させる戻しバネとが配置されている。
【００１４】
ラッチ桿体は振り子桿体から側方へカンチレバー状に延在するバネ板で構成することができ、このバネ板の先端部近傍に上向きに突出するストップピンを設け、受具本体側の固定ブロックの側面にストップピンを引っ掛けてラッチストッパ機構とすることができる。ラッチ桿体の先端部には丸いカムフォロワを設け、また玉受け台の下部には薄肉先端部を下方へ向けた楔形のカムブロックを固定して該カムブロックの傾斜カム面にカムフォロワを当接させておくと共に、傾斜カム面には玉受け台が前記上昇位置にあるときにカムフォロワが嵌合する丸いラッチ凹部を設け、かくして玉受け台が前記上昇位置にある待機状態において玉受け台の誤作動を防止する確実なラッチ機能を果たすことができる。尚、地震による揺れで感震球体が玉受け台に落下したときの本来の感震動作では、衝撃荷重による玉受け台の下降変位に伴うカムブロックの下降によりラッチ凹部に嵌合しているカムフォロワが下方へ変位するとストップピンが固定ブロックから外れるので、カムブロックの傾斜カム面によるカムフォロワの倣い運動による力とラッチ桿体の戻しバネの力で振り子桿体と共にラッチ桿体及び係止具支持部材が係止位置から外れ、従ってドアチェーンの係止具がチェーン受具から離脱する。
【００１５】
玉受け台には安定円滑な下降変位を保証するために下部に支柱桿体を設け、この支柱桿体には、感震動作時における前記ラッチストッパ機構による変位抵抗に打ち勝つ充分な質量を持たせるために、前記カムブロック並びに支柱桿体の横振れ防止用の平衡ブロックを補助的な重錘として固定し、これらブロックよりも下方位置で支柱桿体の下降限位置の規制と昇降移動案内のためのガイド溝付きブロックを収納空間内で受具本体に固定配置しておくことが望ましい。この場合、玉受け台が上昇位置にあるときは支柱桿体の下端部がガイド溝付きブロックのガイド溝内に没入するように、また玉受け台が感震動作で下降したときには支柱桿体の下端部がガイド溝下端から下方へ突出してチェーン受具底部を閉じている底蓋を押し下げて開くように、支柱桿体及びガイド溝付きブロックの寸法をそれぞれ定めておくことが好ましい。これにより待機状態で底蓋が故意に開かれても、玉受け台から一体に垂下する支柱桿体には手指や工具等で直接触れることができなくなり、これは防犯上の観点からも望ましい処置である。
【００１６】
尚、以上に述べた受具本体、玉載せ台、ガイド溝付きブロック、固定ブロック、及び振り子桿体の頂部を枢支するためのボス部は、金属製又はエンジニアリングプラスチック製の一体成形品、例えば鋳物や射出成形品によって構成することが可能である。
【００１７】
振り子桿体には、本発明によるドアチェーン装置を待機状態にセットする際に外部から振り子桿体をラッチ位置に移動させるためのセット用ツマミを設けることができる。このツマミの頭部は受具本体に装着される表蓋に設けた穴から露出させておくことができる。
【００１８】
本発明の更に好適な実施形態によるドアチェーン装置は、待機状態においてラッチストッパ機構によるラッチ桿体の係止を外部からワンタッチで素早く解除する手動操作機構を更に備えている。この手動操作機構は、受具本体の外部に配置された操作ボックスと、該操作ボックスに設けられた操作具と、一端部がラッチ桿体の先端部近傍に結合され、他端部が操作具に結合されて、操作具の操作によりラッチストッパ機構によるラッチ桿体の係止を解除する操作ワイヤーとによって構成することが可能である。操作ボックス及び操作ワイヤーは、ドアチェーンの係止状態において制限されたドアの隙間から手の届かない位置に設置できるようにしておくことが望ましい。
【００１９】
本発明の更に好適な実施形態によるドアチェーン装置では、ドアチェーン先端部に結合された係止具の少なくとも表面層が軟質緩衝材で構成されている。これは、感震作動時、或いは手動操作時にチェーン受具の係合溝下端から下方へ落下する係止具が特に幼児の身体に当たったときの衝撃を緩衝するために有効である。
【発明の効果】
【００２０】
本発明によるドアチェーン装置では、外部から受具本体に伝わる揺れで該本体内の玉載せ台にセットされている感震球体が落下するとドアチェーン係止解除機構が感震球体の落下による荷重の増加で下方へ変位することによりドアチェーン係止具を係合溝から落下させてチェーン受具から離脱させるので、地震が起きた時に非常持ち出し避難用品等の荷物を持ったまま手間のかかるドアチェーンの係止解除操作をせずとも地震による揺れで自動的にドアチェーンの係止を解除でき、また単純な構成の手動操作機構を付設するだけで来客等の必要時にはドアチェーンで制限されたドアの隙間から来客等を確認した後にドア本体を全閉位置に戻す必要なく、そのままワンタッチで素早くドアチェーンの係止を解除でき、いずれの場合も電力及び電気信号に依存することなくドアチェーンの係止を解除することが可能となる。
【図面の簡単な説明】
【００２１】
【図１】本発明に係るドアチェーン装置の待機状態における主要部の内部構造を示す図である。
【図２】図１に示したドアチェーン装置の感震動作後における主要部の内部構造を示す図である。
【図３】本発明に係るドアチェーン装置の表蓋３０の斜視図である。
【発明を実施するための形態】
【００２２】
以下、図面に沿って本発明に係るドアチェーン装置の実施形態について説明する。このドアチェーン装置は、図１に示すドアチェーン２７、操作ボックス１９、及び、チェーン受具によって構成されている。これらのうち、チェーン受具は、図１に示す受具本体１ａと、図３に示す表蓋３０とによって構成されている。尚、操作ボックス１９は、ドアチェーンの係止を手動で解除するためのものである。
【００２３】
図１に示すように、ドアチェーン２７は、先端部に係止具２６が取り付けられ、基端部には固定板２８が連結されている。固定板２８は、止めネジ２９によって固定側部材（ドア開口周囲のドア枠等）に固定される。一方、チェーン受具（受具本体１ａ、及び、表蓋３０）は、ドア本体に固定される。尚、固定板２８をドア本体に固定し、チェーン受具を固定側部材に固定するようにしてもよい。
【００２４】
このドアチェーン装置を使用してドア本体の開口量を制限しようとする場合、ドアチェーン２７の先端部に取り付けられている係止具２６を、図３に示す表蓋３０の脱着用円孔３４ｂから、図１に示す受具本体１ａの内部（収納空間１ｂ）に挿入し、落とし込む。そうすると、脱着用円孔３４ｂから下方へ向かって延在する係合溝３４ａに、係止具２６（及び、ドアチェーン２７）が、スライド可能な状態で係合する。このように、係止具２６が係合溝３４ａに係合されている状態においては、限定された長さのドアチェーン２７が、固定側部材とドア本体との間に掛け渡されて、ドア本体の開口量がドアチェーン２７の長さに応じた隙間に制限される。
【００２５】
ここで本発明の構成要素についてそれぞれ詳述すると、まず、チェーン受具を構成する表蓋３０は、図３に示すように、両側壁に、受具本体１ａに対して固定するためのネジ穴３２を備えており、図示しないネジを、これらのネジ穴３２に挿通するとともに、ネジの先端を受具本体１ａに締結させることにより、表蓋３０を受具本体１ａに対して固定できるようになっている。
【００２６】
また、表蓋３０には、係合溝３４ａ及び脱着用円孔３４ｂが形成されている。脱着用円孔３４ｂは、係止具２６を挿通可能な大きさに形成されており、係合溝３４ａは、脱着用円孔３４ｂから下方へ（縦向きに）直線状に延在し、表蓋３０の下端縁まで達している。更に、表蓋３０は、枢支部２３を基点として開閉可能な底蓋２４を有し、表蓋３０が受具本体１ａに装着固定された状態では、図１に示すように、この底蓋２４が、収納空間１ｂの底部を開閉可能に覆うようになっている。
【００２７】
受具本体１ａの収納空間１ｂ内には、受具本体１ａに対して固定された山形頂面を有する玉載せ台２と、玉載せ台２の一方の側端部２ｂ上に載置された感震球体３と、感震球体３の落下を受けたときに生じる荷重の増加で下方へ変位することにより係止具２６を係合溝３４ａから下方へ落下させてチェーン受具から離脱させるドアチェーン係止解除機構（玉受け台６、底蓋２４等）とが設けられている。
【００２８】
尚、感震球体３は、外部から受具本体１ａに伝わる揺れにより、側端部２ｂ上の位置から山形頂面の頂部２ａを乗り越えて反対側の側端部２ｃから下方へと転動落下するようになっている。また、玉載せ台２の山形頂面を形成する一方側の側端部２ｂから頂部２ａに至る上り勾配斜面の長さは２〜３ｃｍ程度、頂部２ａから反対側の側端部２ｃへ至る下り勾配斜面の長さは３ｃｍ程度となっており、いずれの斜面の勾配も、水平面に対して１５〜２５度程度となっている。
【００２９】
感震球体３は、玉載せ台２の側端部２ｃから落下したときに与える衝撃荷重により、ドアチェーン係止解除機構（玉受け台６、底蓋２４等）を下方へ変位させるに充分な質量（重量）を有する金属製又はガラス製の球体である。尚、感震球体３として、金属製又はガラス製の球体の表面をプラスチック層で被覆したものを用いることもできる。
【００３０】
また、感震球体３には、受具本体１ａの外部へ導出された復帰用糸４（例えば、ポリエチレン製の糸）が連結されている。この復帰用糸４は、感震動作等によって玉載せ台２から玉受け台６上に落下した感震球体３を、表蓋３０を外すことなく、また、受具本体１ａの収納空間１ｂ内各部に直接手を触れることなく、外部から側端部２ｂへ復帰できるようにするためのものである。尚、表蓋３０の上面には、この復帰用糸４を外部へ導く通し穴３１が設けられている。
【００３１】
受具本体１ａは、上下に一対のビス穴５ａ，５ｂを備えており、これらのビス穴に挿通した止めビスによって、ドア本体（又は固定側部材）に固定することができる。本発明によるドアチェーン装置では、地震による建物が揺れた場合に、感震球体３が玉載せ台２の山形頂面頂部２ａを乗り越えて転動落下することにより、非電動純機械的にドアチェーン係止解除機構（玉受け台６、底蓋２４等）を作動させるものであるので、建物の構造、立地、高層階か低層階かなど、種々の条件によって地震による揺れ方が異なることに対応すべく、水平面に対する玉載せ台の傾斜角、特に山形頂面の一方の側端部から頂部へ至る上り勾配斜面の傾斜角によって揺れの大きさに対する感震感度を調整することが可能である。図１に示すように、受具本体１ａの下部のビス穴５ｂは、玉載せ台２と固定関係にある受具本体１ａの取付姿勢を、水平面に対して傾動調整できるように、上部のビス穴５ａを中心とする円弧上で止めビスの固定位置を該円弧の長さ方向に調整可能な長穴状に形成されている。
【００３２】
ドアチェーン係止解除機構は、玉載せ台２の側端部２ｃから感震球体３の落下を受けたときに生じる荷重の増加で下方へ変位するように収納空間１ｂ内に配置された玉受け台６と、この玉受け台６の下方変位によって係合溝３４ａの下端部を下方へ向けて開放することにより、係止具２６を自重で係合溝３４ａから落下させてチェーン受具から離脱させるように表蓋３０の底部に開閉可能に設けられた底蓋２４とを備えている。
【００３３】
ドアチェーン係止解除機構はまた、玉受け台６が感震球体３の落下を受けていない待機状態では、玉受け台６を上昇位置に保持するラッチ桿体１１と、ラッチ桿体１１と協働して玉受け台６が上昇位置に保持されている状態では係合溝３４ａの上端部に設けられている脱着用円孔３４ｂから受具本体１ａ内へ受け入れたドアチェーン先端部の係止具２６を受具本体１ａの収納空間１ｂ内に保持する係止具支持部材（支持板１７ａ，１７ｂ、及び、受板１７ｃ）とを収納空間１ｂ内に備えている。ラッチ桿体１１と係止具支持部材（支持板１７ａ，１７ｂ、及び、受板１７ｃ）は、収納空間１ｂ内において頂部１５で枢支された振り子桿体１４と一体化されており、更に、収納空間１ｂ内には、玉受け台６が上昇位置にあるときにラッチ桿体１１をラッチ位置に係止するラッチストッパ機構（固定ブロック１０、及び、ストップピン１３）と、ラッチ桿体１１がラッチ位置から係止を解除されたときに、係止具支持部材（支持板１７ａ，１７ｂ、及び、受板１７ｃ）による係止具２６の保持を解除する向きに振り子桿体１４を枢動させる戻しバネ１６とが配置されている。図１に示す待機状態では戻しバネ１６が伸張状態でバネ荷重による戻し力を、振り子桿体１４に作用させており、このバネ荷重に抗してラッチストッパ機構（固定ブロック１０、及び、ストップピン１３）により、ラッチ桿体１１がラッチ位置に係止されている。
【００３４】
ラッチ桿体１１は、振り子桿体１４から側方へカンチレバー状に延在するバネ板で構成されており、このバネ板の先端部近傍には上向きに突出するストップピン１３が設けられ、受具本体側の固定ブロック１０の側面にストップピン１３を引っ掛けてラッチストッパ機構の機能を達成している。尚、バネ板の胴部には弾性変形の強度を調整するために刳り抜き孔による空洞部１２が設けられている。ラッチ桿体１１の先端部には、丸いカムフォロワ１１ａが設けられており、また、玉受け台６の下部には薄肉先端部を下方へ向けた楔形のカムブロック７ａが固定されて、カムブロック７ａの傾斜カム面にカムフォロワ１１ａが当接され、この傾斜カム面には玉受け台６が上昇位置にあるときにカムフォロワ１１ａが嵌合する丸いラッチ凹部７ｃが設けられ、これにより玉受け台６が上昇位置にある待機状態において、玉受け台６の誤作動による下降を防止する確実なラッチ機能を果たすようにしてある。地震による揺れで感震球体３が玉受け台６に落下したときには、衝撃荷重による玉受け台６の下降変位に伴うカムブロック７ａの下降によってラッチ凹部７ｃに嵌合しているカムフォロワ１１ａが下方へ変位し、それによりストップピン１３が固定ブロック１０から外れるので、カムブロック７ａの傾斜カム面によるカムフォロワ１１ａの倣い運動による力と、戻しバネ１６のバネ力とによって振り子桿体１４と共にラッチ桿体１１及び係止具支持部材（支持板１７ａ，１７ｂ、及び、受板１７ｃ）が時計回りに枢動して係止位置から外れ、従って玉受け台６の下降変位で底蓋２４が押し下げられて開かれるので、ドアチェーンの係止具２６が係合溝３４ａの開放された下端部から落下してチェーン受具から離脱し、ドアチェーンの係止が解除される。
【００３５】
振り子桿体１４の下部に一体に形成されている係止具支持部材は、上から順に、係合溝３４ａに係合した係止具２６が上方へ引き抜かれないように収納空間１ｂ内に位置する係止具２６の頭部を、上下方向に関して移動制限する上下一対の支持板１７ａ，１７ｂと、最下部で係止具２６を受け止める受板１７ｃとからなっている。これらの係止具支持部材は、振り子桿体１４が図１の状態から時計方向に枢動変位したときに係止具２６を解放し、底蓋２４が支柱桿体９の下降で押し下げられて開かれれば、係止具２６の下方への落下を許容する。また、これらの係止具支持部材に対置されるガイド溝付きブロック８は、防犯上の観点及び安定動作を確保する観点から、収納空間１ｂ内で待機状態にあるときの係止具支持部材とガイド溝付きブロック８との間に係止具２６が横振れ及びぐらつきを生じない安定した状態で挟持されるように配置位置及び形状が定められている。
【００３６】
玉受け台６の安定円滑な下降変位を保証するために、玉受け台６の下部には、支柱桿体９が一体に設けられており、この支柱桿体９には、感震動作時におけるラッチストッパ機構による変位抵抗に打ち勝つ充分な質量を持たせるために、カムブロック７ａと支柱桿体９の横振れ防止用の平衡ブロック７ｂが補助的な重錘として支柱桿体９に固定され、これらブロックよりも下方位置で支柱桿体９の下降限位置の規制と昇降移動案内のためのガイド溝付きブロック８が収納空間内で受具本体１ｂに固定配置されている。この場合、玉受け台６が上昇位置にあるときは、支柱桿体９の下端がガイド溝付きブロック８のガイド溝内に没入し、玉受け台６が感震動作で下降したときには支柱桿体９の下端部がガイド溝下端から下方へ突出して受具本体１ａの底部を閉じている底蓋２４を開くように支柱桿体９及びガイド溝付きブロック８の縦方向寸法が定められ、これに対応して底蓋２４には、底蓋２４が閉められた状態でガイド溝付きブロック８の底部に達する高さ寸法の凸部３５が設けられている。これらの構造により、待機状態で底蓋２４が故意に開かれても玉受け台６から一体に垂下する支柱桿体には、手指や工具等で直接触れることができず、ラッチ桿体１１のラッチが故意に解除されることも防止されるので、防犯上の役目が果たされる。
【００３７】
尚、以上に述べた受具本体１ａ、玉載せ台２、ガイド溝付きブロック８、固定ブロック１０、及び、振り子桿体１４の頂部１５を支持するためのボス部は、金属製又はエンジニアリングプラスチック製の一体成形品、例えば鋳物や射出成形品によって構成可能である。
【００３８】
振り子桿体１４には、ドアチェーン装置をドアチェーンの係止が解除された状態（図２）から待機状態（図１）にセットする際に外部から振り子桿体１４をラッチ位置に移動させるためのセット用ツマミ１８が設けられている。このツマミ１８の頭部は受具本体１ａに装着された表蓋３０に設けられている穴３３から露出されている。復帰操作では、復帰用糸４で感震球体３を玉載せ台２の側端部２ｂ上に復帰させてから、底蓋２４を閉じ、それによって凸部３５により支柱桿体９と玉受け台６が上昇位置に戻された状態で、底蓋２４を手指で閉鎖位置に保持したまま、外部に落下した状態の係止具２６を脱着用円孔３４ｂから収納空間内に戻す。この際に表蓋３０の穴３３から露出しているツマミ１８を外部から手指で操作して表蓋３０で覆われた受具本体１ａ内の振り子桿体１４を反時計回り方向に枢動させ、係止具支持部材（支持板１７ａ，１７ｂ、及び、受板１７ｃによって、収納空間１ｂ内で係止具２６を保持させる。このように外部からの単純なツマミ操作による振り子桿体１４の反時計回り方向の枢動で、ラッチ桿体１１の先端部のカムフォロワ１１ａが、既に上昇位置にあるカムブロック７ａのラッチ凹部７ｃに嵌入すると共に、ストップピン１３が固定ブロック１０の右側面下縁部にラッチ係合し、ドアチェーン係止解除機構を待機状態に復帰させることが可能である。尚、この場合、復帰操作で閉じた底蓋２４から手指を離しても底蓋２４を閉鎖位置に保持し続けるように、底蓋２４の先端縁と受具本体１ａの側面下部との間に凹凸嵌合のスナップ係合部２５を設けておいてもよく、但し、このスナップ係合部２５は感震作動時等の玉受け台６及びその支柱桿体９の下降動作で係合が解除される程度の、係合強度が比較的軽度のものとすることが好ましい。
【００３９】
図示の実施形態によるドアチェーン装置は、待機状態においてラッチストッパ機構によるラッチ桿体１１の係止を外部からワンタッチで素早く解除する手動操作機構を更に備えている。この手動操作機構は、受具本体１ａの外部に配置された操作ボックス１９と、該操作ボックスに設けられたレバー等の操作具２０と、一端部がラッチ桿体１１の先端部近傍に結合され、他端部が操作具２０に結合されて、操作具２０による引っ張り操作によってラッチストッパ機構によるラッチ桿体１１の係止を解除する操作ワイヤー２１とによって構成されている。操作ボックス１９及び操作ワイヤー２１は、ドアチェーンの係止状態において制限されたドアの隙間から手の届かない位置に設置され、操作ワイヤー２１は操作具２０による引っ張り力を、収納空間１ｂ内に固定配置されたガイドポスト２２を経由してラッチ桿体１１の先端部近傍に下向きの引っ張り力として伝え、ラッチ桿体１１を時計回り方向へ枢動させてラッチを解除する。
【００４０】
更に、ドアチェーン先端部に結合された係止具２６は、表面層が、合成ゴム等の軟質緩衝材で構成されている。この緩衝材は、感震作動時、或いは、手動操作時にチェーン受具の係合溝３４ａ下端から下方へ落下する係止具２６が、身体（特に、幼児の身体）に当たったときの衝撃を緩和する安全上の機能を果たすものである。
【００４１】
尚、ここに例示した実施形態は本発明を限定する意図を含むものではなく、当業者に自明なその変形態様も本発明の技術的範疇に包含されることは述べるまでもない。  
【符号の説明】
【００４２】
１ａ：受具本体、
１ｂ：収納空間、
２：玉載せ台、
２ａ：頂部、
２ｂ，２ｃ：側端部、
３：感震球体、
４：復帰用糸、
５ａ，５ｂ：ビス穴、
６：玉受け台、
７ａ：カムブロック、
７ｂ：平衡ブロック、
７ｃ：ラッチ凹部、
８：ガイド溝付きブロック、
９：支柱桿体、
１０：固定ブロック、
１１：ラッチ桿体、
１１ａ：カムフォロワ、
１２：空洞部、
１３：ストップピン、
１４：振り子桿体、
１５：頂部、
１６：戻しバネ、
１７ａ，１７ｂ：支持板、
１７ｃ：受板、
１８：ツマミ、
１９：操作ボックス、
２０：操作具、
２１：操作ワイヤー、
２２：ガイドポスト、
２３：枢支部、
２４：底蓋、
２５：スナップ係合部、
２６：係止具、
２７：ドアチェーン、
２８：固定板、
２９：止めネジ、
３０：表蓋、
３１：通し穴、
３２：ネジ穴、
３３：穴、
３４ａ：係合溝、
３４ｂ：脱着用円孔、
３５：凸部
【図１】
2014088691.tif 000003
【図２】
2014088691.tif 000004
【図３】
2014088691.tif 000005